(57)【特許請求の範囲】
【請求項１】
複数の柱と、柱の見込み方向外側に上下方向に間隔をおいて設けた横材と、横材間に横並びに設けたパネル体とを備え、横材は、パネル体取付部を長手方向に沿って有し、パネル体は、パネルを四周框組みしたものであり、平面視略平行四辺形状又は平面視略台形状であり、横材間に見込み方向内側から配置してパネル体取付部に取付けてあることを特徴とする簡易建物。
【請求項２】
柱と横材間にパネル体の厚み以上の空間を設けてあることを特徴とする請求項１記載の簡易建物。
【請求項３】
パネル体の竪框は、隣り合うパネル体の竪框同士の境界線よりも突き出た突部を有することを特徴とする請求項１又は２記載の簡易建物。
【請求項４】
横材に見込み方向内側からカバー材が取付けてあり、カバー材によりパネル体の上下框を隠していることを特徴とする請求項１，２又は３記載の簡易建物。
【発明の詳細な説明】
【技術分野】
【０００１】
本発明は、側面パネルを備えるカーポートや通路シェルター等の簡易建物に関する。
【背景技術】
【０００２】
カーポートでは、風雨の吹き込み防止や目隠し等の目的で側面パネルを設置することがある（例えば、特許文献１，２参照）。従来、カーポートに側面パネルを取付ける場合、カーポートの柱の外側に側面パネルを取付けるため、必然的に隣地境界を意識しながらの施工となり、場合によっては隣地へ侵入しながらの作業になったり、隣地への侵入を避けるために側面パネルや柱の位置をセットバックしたりしなければならなかった。
【先行技術文献】
【特許文献】
【０００３】
【特許文献１】特許第３１５３５０６号公報
【特許文献２】特開平９−１１２０５８号公報
【発明の概要】
【発明が解決しようとする課題】
【０００４】
本発明は以上に述べた実情に鑑み、側面パネルの施工を柱の見込み方向内側から容易に行える簡易建物の提供を目的とする。
【課題を解決するための手段】
【０００５】
上記の課題を達成するために請求項１記載の発明による簡易建物は、複数の柱と、柱の見込み方向外側に上下方向に間隔をおいて設けた横材と、横材間に横並びに設けたパネル体とを備え、横材は、パネル体取付部を長手方向に沿って有し、パネル体は、パネルを四周框組みしたものであり、平面視略平行四辺形状又は平面視略台形状であり、横材間に見込み方向内側から配置してパネル体取付部に取付けてあることを特徴とする。
【０００６】
請求項２記載の発明による簡易建物は、請求項１記載の発明の構成に加え、柱と横材間にパネル体の厚み以上の空間を設けてあることを特徴とする。
【０００７】
請求項３記載の発明による簡易建物は、請求項１又は２記載の発明の構成に加え、パネル体の竪框は、隣り合うパネル体の竪框同士の境界線よりも突き出た突部を有することを特徴とする。
【０００８】
請求項４記載の発明による簡易建物は、請求項１，２又は３記載の発明の構成に加え、横材に見込み方向内側からカバー材が取付けてあり、カバー材によりパネル体の上下框を隠していることを特徴とする。
【発明の効果】
【０００９】
請求項１記載の発明による簡易建物は、柱の見込み方向外側に設けた横材間に四周框組みしたパネル体を柱の見込み方向内側から配置し、パネル体を横材の長手方向にスライドさせながら所定の位置に順次固定することで、柱の位置に関係なく内側からパネル体の取付け作業を簡単に行うことができ、隣地境界を気にすることなく敷地内から側面パネルの施工を容易に行うことができる。横材にパネル体取付部を長手方向に沿って有しているので、パネル体を横材の長手方向に容易にスライドさせられる。またパネル体が平面視略平行四辺形状又は平面視略台形状であるため、パネル体を横材の長手方向にスライドさせると隣りのパネル体と側部が組合い、パネル体同士の間に隙間が開くのを防止できる。また、パネル体同士の突き合わせ部が竪框の見付け面の端にくるので、竪框が１本しかないように見える。
【００１０】
請求項２記載の発明による簡易建物は、柱と横材間にパネル体の厚み以上の空間を設けてあることで、柱のちょうど外側の位置でもパネル体の着脱が行え、側面パネルの施工性が一層向上する。
【００１１】
請求項３記載の発明による簡易建物は、パネル体の竪框に、隣り合うパネル体の竪框同士の境界線よりも突き出た突部を有することで、隣り合うパネル体の竪框の間から斜めに差し込む光も遮ることができる。
【００１２】
請求項４記載の発明による簡易建物は、横材に見込み方向内側からカバー材が取付けてあり、カバー材によりパネル体の上下框を隠してあるので、側面パネルの内観意匠も良好になる。
【図面の簡単な説明】
【００１３】
【図１】図２のＢ−Ｂ断面図である。
【図２】本発明の簡易建物（カーポート）の第１実施形態を示す側面図である。
【図３】同簡易建物の正面図である。
【図４】図２のＡ−Ａ断面図である。
【図５】図４の一部を拡大して示す縦断面図である。
【図６】パネル体の取付け方を示す縦断面図である。
【図７】パネル体の取付け方を示す横断面図である。
【図８】パネル体の分解斜視図である。
【図９】本発明の簡易建物（カーポート）の第２実施形態を示す正面図である。
【図１０】同簡易建物の側面図である。
【図１１】図９のＣ−Ｃ断面図である。
【図１２】図９のＤ−Ｄ断面図である。
【図１３】側面パネルの他の実施形態を示す縦断面図である。
【図１４】図１３の側面パネルにおけるパネル体の取付け方を示す斜視図である。
【図１５】（ａ）はパネル体の形態の他の例を示す平面図、（ｂ）は同パネル体の横断面図である。
【発明を実施するための形態】
【００１４】
以下、本発明の実施の形態を図面に基づいて説明する。図１〜図５は、本発明の簡易建物の第１実施形態に係るカーポートを示している。本カーポートは、図２，３に示すように、両端部を柱１，１で支持した梁１３が前後方向に間隔をおいて設けてあり、梁１３上に屋根１４を設けてある。屋根１４は、図３に示すように、複数の屋根ユニット１５，１５，…を左右方向に連結して構成してあり、各屋根ユニット１５はアルミフレームを立体トラス状に組んだ骨組み１６の上面に樹脂パネル１７を取付けたものとなっている。屋根１４は、前方に向かって下り勾配で傾斜している。本カーポートは、正面から見て右側の柱１の外側に側面パネル１８が設置してある。
【００１５】
側面パネル１８は、図２に示すように、上下方向に間隔をおいて設けた複数の横材２ａ，２ｂ，２ｃ，２ｄと、横材２ａ，２ｂ，２ｃ，２ｄの両端部に架設した竪枠１９，１９と、各横材２ａ，２ｂ，２ｃ，２ｄ間に横材の長手方向に並べて取付けた複数のパネル体３，３，…とで構成されている。パネル体３は、図８に示すように、乳白色の薄い樹脂パネル５を上下框６，７と左右の竪框８，９とで四周框組みしたものであり、一番上の段に配置した６枚のパネル体３は上辺が傾斜した台形で、他の１２枚のパネル体３は同一の大きさの正方形になっている。
上框６と下框７は、図５に示すように、見込み方向の中央部にパネル保持部２０が外周側に膨らむ凹溝状に設けてあり、パネル保持部２０内にビード２１を介して樹脂パネル５の上下端部を保持している。パネル保持部２０の外周側の見込み方向中央位置には、取付片２２が上下方向に突出して設けてある。また上框６と下框７は、図８に示すように、長手方向の両端が同じ角度で斜めに切断してある。
屋外側から向かって右側の竪框８は、図１，８に示すように、見込み方向内側にのみ見付け面１０を有し、見込み方向の中央部にパネル保持部２０を有し、見込み方向の外側がパネル保持部２０よりも陥没し、見込み方向の内側がパネル保持部２０よりも膨出しており、上下框６，７の斜めに切断した端部の形状に合致する略直角三角形状の断面形状となっている。左側の竪框９は、右側の竪框８と同一の形材を反転して用いており、見込み方向外側にのみ見付け面１０を有し、見込み方向の外側がパネル保持部２０よりも膨出し、見込み方向の内側がパネル保持部２０よりも陥没している。竪框８，９は、膨出している側の２箇所にタッピングホール２３を有し、上下端面を上下框６，７の内周側面に当接し、上下方向からネジ２４をタッピングホール２３に打ち込んで上下框６，７と連結される。竪框８，９の陥没している側には、外周側に突出した突片１１を有している。
上述のように、上下框６，７の両端部が斜めに切断してあり、竪框８，９は上下框６，７の端部の斜め形状に合わせて略直角三角形状の断面形状としてあるため、パネル体３は平面視平行四辺形状となっている。竪框８，９は、見付け面１０の先端部が上下框６，７よりも僅かに突出している。
【００１６】
隣り合うパネル体３の境界部においては、図１の部分拡大図に示すように、右側の竪框８と左側の竪框９とが正方形を成すように組み合っており、これによりパネル体３同士の間に隙間が開くのを防止できる。また、竪框８，９同士の突き合わせ部が見付け面１０の端、即ち組み合った竪框８，９のコーナー部に位置し、竪框８，９が１本しかないように見えるので、見た目に美しく、且つ細い見付け幅を実現している。さらに、竪框８，９の陥没部側に設けた突片１１は、互いに組み合う竪框８，９の境界線４４よりも僅かに突出しており、これにより竪框８，９の間から斜めに光が差し込むことも防止している。
【００１７】
一番上の横材２ａは、図４に示すように、屋根１４の側枠３０に沿って設けてあり、見込み方向内側の下面側に階段状の凹部４が長手方向に連続して設けてあり、凹部４にパネル体３の上框６を収容し、見込み方向内側からネジ２５で固定してある。
中間の横材２ｂ，２ｃは、図４，５に示すように、柱１の側面より見込み方向外側に張り出して設けた金具２６に取付けてあって、見込み方向内側の上面側と下面側とに階段状の凹部４，４が長手方向に連続して設けてあり、各凹部４にパネル体３の下框７と上框６を収容し、見込み方向内側からネジ２５で固定してある。上下の凹部４，４の間には見込み方向内側に開口したカバー材取付け溝２７を有しており、カバー取付け溝２７内に爪４３を係合してカバー材１２が見込み方向内側から取付けてある。カバー材１２は、横材２ｂ，２ｃの凹部４を塞ぎ、パネル体３の上下框６，７を見込み方向内側から見えないようにしている。なお、見込み方向外側から見てもパネル体３の上下框６，７は横材２ｂ，２ｃの凹部４に収容してあるため見えない。カバー材１２を含めた横材２ｂ，２ｃの意匠は見込み方向外側と内側で同一であり、見込み方向の中央にパネル体３が位置している。
一番下の横材２ｄは、中間の横材２ｂ，２ｃと同様に柱１の側面より張り出した金具２６に取付けてあって、見込み方向内側の上面側に階段状の凹部４が長手方向に連続して設けてあり、凹部４にパネル体３の下框７を収容し、見込み方向内側からネジ２５で固定してある。またこの横材２ｄにも、下框７を隠すようにカバー材１２が見込み方向内側から係合取付けしてある。
横材２ｂ，２ｃ，２ｄと柱１との間には、パネル体３の厚み以上の空間Ｓが設けてある。
【００１８】
竪枠１９は、図１に示すように、竪枠本体１９ａと、竪枠本体１９ａに係合取付けしたカバー材２８とで構成してあり、竪枠本体１９ａとカバー材２８との間にパネル体３の側部を差し込む溝部４１が形成されている。竪枠本体１９ａは、各横材２ａ，２ｂ，２ｃ，２ｄの端部とクランク状に曲がった金具２９で連結してある。カバー材２８は、見込み方向外側が開放した略コ字形になっており、竪枠１９内に差し込まれたパネル体３の側部を隠蔽している。
【００１９】
次に、側面パネル１８の施工手順を述べる。まず、屋根１４の側枠３０及び柱１の外側に横材２ａ，２ｂ，２ｃ，２ｄを取付ける。横材２ａ，２ｂ，２ｃ，２ｄには、パネル体３の取付ネジ２５用の雌ネジ孔を所定の位置に予め開けておく。次に、横材２ａ，２ｂ，２ｃ，２ｄの端部に竪枠本体１９ａを架設する。次に、図６に示すように、パネル体３を見込み方向内側から横材２ａ，２ｂ，２ｃ，２ｄ間に配置し、上下框６，７の取付片２２を見込み方向内側からのネジ２５で横材２ａ，２ｂ，２ｃ，２ｄに固定する。パネル体３の取付けは、図７に示すように、横材２ａ，２ｂ，２ｃ，２ｄの長手方向端部側に向けてスライドさせながら順次行うことで、柱１を避けて見込み方向内側から容易に取付けでき、またスライドさせることでパネル体３の側部が先に取付けたパネル体３の側部と自然に組み合う。その後、横材２ａ，２ｂ，２ｃ，２ｄと竪枠本体１９ａにカバー材１２，２８を見込み方向内側から取付ける。
【００２０】
以上に述べたように本カーポートは、柱１の見込み方向外側に設けた横材２ａ，２ｂ，２ｃ，２ｄ間に四周框組みしたパネル体３を柱１の見込み方向内側から配置し、パネル体３を横材２ａ，２ｂ，２ｃ，２ｄの長手方向にスライドさせながら所定の位置に順次固定することで、柱１の位置に関係なく内側からパネル体３の取付け作業を簡単に行うことができ、隣地境界を気にすることなく敷地内から側面パネル１８の施工を容易に行うことができる。またパネル体３が平面視平行四辺形状であるため、パネル体３を横材２ａ，２ｂ，２ｃ，２ｄの長手方向にスライドさせると隣りのパネル体３と側部が組合い、パネル体３同士の間に隙間が開くのを防止できると共に、竪框８，９の見付け幅を１本分の見付け幅に細くできる。また竪框８，９が組み合っていることで、風圧等によるたわみを抑制できる。パネル体３は、どの位置のものでも一枚ずつ単独で取外すことができ、パネル体３が破損した場合にも補修が容易に行える。さらに、柱１と横材２ａ，２ｂ，２ｃ，２ｄ間にパネル体３の厚み以上の空間Ｓを設けてあることで、柱１のちょうど外側の位置でもパネル体３の着脱が行え、側面パネル１８の施工性が一層向上する。
【００２１】
図９〜１２は、本発明の簡易建物（カーポート）の第２実施形態を示している。本カーポートは、第１実施形態のものと同様に右側の側面に側面パネル１８を備えることに加え、前面に側面パネル１８と直角に連続する形でスクリーン体３１を設置している。スクリーン体３１は、図９に示すように、左右方向に間隔をおいて地面より立設した複数の支柱３２ａ，３２ｂ，３２ｃと、支柱３２ａ，３２ｂ，３２ｃ間に上下方向に間隔をおいて架設した横材３３，３３，…と、支柱３２ａ，３２ｂ，３２ｃ間に取付けた複数のパネル体３４，３４，…とで構成される。
【００２２】
パネル体３４は、図１１，１２に示すように、樹脂パネル３５を上下框３６，３７と左右の竪框３８，３９とで四周框組みして構成してある。上下框３６，３７は、側面パネル１８のパネル体３の上下框６，７と同一のものを用いており、竪框３８，３９は略矩形状の断面になっている。
横材３３は、図１２に示すように、側面パネル１８の横材２ｂ，２ｃ，２ｄと同様に形成してあり、見込み方向内側に階段状の凹部４が形成され、凹部４内にパネル体３４の上下框３６，３７を収容して内側からのネジ２５で固定してある。横材３３の見込み方向内側にはカバー材４０が取付けられ、上下框３６，３７がカバー材４０で隠れている。
【００２３】
コーナー部に設けられる支柱３２ａは、図１１に示すように、側面パネル１８の竪枠を兼ねるものとなっており、側面パネル１８側の側面とスクリーン体３１側の側面とにパネル体３，３４の側部を収容する溝部４１を有し、コーナー部内周側に各パネル体３，３４の竪框９，３８をそれぞれ隠すようにカバー材４２ａを係合取付けしている。中間及び端部の支柱３２ｂ，３２ｃは、両側の側面にパネル体３４の竪框３８，３９を収容する溝部４１を有し、見込み方向内側からカバー材４２ｂ，４２ｃを係合取付けして竪框３８，３９を隠蔽してある。パネル体３４の取付けは、横材３３と支柱３２ａ，３２ｂ，３２ｃにカバー材４０，４２ａ，４２ｂ，４２ｃを取付ける前に、見込み方向内側から行う。
【００２４】
通常、カーポートのまわりに側面パネル１８とスクリーン体３１とを設置する場合、側面パネル１８の竪枠とスクリーン体３１の支柱とを別個に設けており、両者の間に隙間や凹凸ができたり、見付け幅が大きくなって体裁が悪いといった不都合があったが、本実施形態のものはコーナー部の支柱３２ａを介して側面パネル１８とスクリーン体３１とを連続させたので、側面パネル１８とスクリーン体３１との間に隙間が開くこともなく、コーナー部がすっきりした納まりになり意匠性が向上する。
【００２５】
このように、側面パネル１８の側端部には竪枠１９又は支柱３２ａのどちらも取付けることができ、支柱３２ａを用いた場合には側面パネル１８と直角にスクリーン体３１を体裁良く連続して設けることができる。スクリーン体３１は、カーポートの後側に設けることもでき、また側面パネル１８から外側に折り曲げる形でスクリーン体３１を設けることもできる。
【００２６】
図１３は側面パネル１８の他の実施形態を示す縦断面図であり、図１４はこの側面パネル１８におけるパネル体３の取付け方を示している。本側面パネル１８は、カーポートの柱１の外側に横材２ａ，２ｂ，２ｃが上下方向に間隔をおいて複数設けてあり、上下の横材２ａ，２ｃはパネル体３の上下框６，７を呑み込む溝４５を内周側に開口して有する断面コ字形に形成され、中間の横材２ｂはパネル体３の上下框６，７を呑み込む溝４５を上方と下方に開口して有する断面Ｈ形に形成されている。各横材２ａ，２ｂ，２ｃは、図１４に示すように、柱１を避けた位置に内側の壁４６にパネル体３の横幅以上の切り欠き４７が設けてあり、パネル体３はその切り欠き４７を設けた位置から横材２ａ，２ｂ，２ｃ間に内側から配置し、その後、横材２ａ，２ｂ，２ｃの長手方向に沿って所定の位置にスライドさせ、内側からのネジ２５でパネル体３の上下框６，７を横材２ａ，２ｂ，２ｃの内側の壁４６に固定している。横材２ａ，２ｂ，２ｃの切り欠き４７は、後から図示しないカバーによって塞がれる。
なお、横材２ａ，２ｂ，２ｃに切り欠き４７を設けないで、パネル体３を内側から横材２ａ，２ｂ，２ｃ間に上下けんどん式に建て込むようにしてもよい。  
【００２７】
本発明は以上に述べた実施形態に限定されない。パネル体３は、両側の側部が互いに組み合うように、見込み方向に対して斜め状に形成されていればよく、平面視略台形状とすることもできる。またパネル体３は、上下框６，７の長手方向端部が斜めに直線的に切断されたものに限らず、例えば図１５に示すように、上下框６，７の長手方向端部が階段状に切断されたものも、「平面視略平行四辺形状」に含まれる。横材２ａ，２ｂ，２ｃ，２ｄは、パネル体３を横材２ａ，２ｂ，２ｃ，２ｄ間に内側から取付けできるようにパネル体取付部４，４６を有していればよく、横材２ａ，２ｂ，２ｃ，２ｄの断面形状は適宜変更することができる。側面パネル１８は、屋根と連結しない長方形のものであってもよい。実施形態は、屋根１４を支える梁１３の両端部を柱１で支持しているが、片側支持タイプのものにも適用できる。屋根１４の構造は任意である。本発明は、カーポートに限らず通路シェルター等にも適用できる。
【符号の説明】
【００２８】
１  柱
２ａ，２ｂ，２ｃ，２ｄ  横材  
３  パネル体
４  凹部（パネル体取付部）
５  樹脂パネル（パネル）
６  上框
７  下框
８，９  竪框  
１０  竪框の見付け面
１１  突片（突部）
１２  カバー材
１８  側面パネル
４４  竪框同士の境界線
４６  横材の内側の壁（パネル体取付部）
Ｓ  柱と横材の間の空間
【図１】
0005393586.tif 000002
【図２】
0005393586.tif 000003
【図３】
0005393586.tif 000004
【図４】
0005393586.tif 000005
【図５】
0005393586.tif 000006
【図６】
0005393586.tif 000007
【図７】
0005393586.tif 000008
【図８】
0005393586.tif 000009
【図９】
0005393586.tif 000010
【図１０】
0005393586.tif 000011
【図１１】
0005393586.tif 000012
【図１２】
0005393586.tif 000013
【図１３】
0005393586.tif 000014
【図１４】
0005393586.tif 000015
【図１５】
0005393586.tif 000016